(57)【特許請求の範囲】
【請求項１】
ユーザ機器(UE)によるワイヤレス通信のための方法であって、
1つまたは複数のダウンリンク信号および少なくとも1つの後続の送信の予想時間に基づいて、ランダムアクセスチャネル(RACH)手順の少なくとも1つの後続のダウンリンク送信に対する少なくとも1つの好適なビームを決定するステップであって、前記少なくとも1つの好適なビームは、前記RACH手順のメッセージの送信の間の時間期間内にチャネル条件が変化する後続の送信の時点において好適であることが予測されるビームである、ステップと、
第1のアップリンク送信を介して前記少なくとも1つの好適なビームの指示を提供するステップと、
前記RACH手順の一部として前記第1のアップリンク送信を送るステップと、
前記第1のアップリンク送信を送った後に、前記少なくとも1つの好適なビームを介して前記RACH手順の前記少なくとも1つの後続のダウンリンク送信を受信するステップと
を含む、方法。
【請求項２】
前記1つまたは複数のダウンリンク信号が、複数のビームにわたる掃引を介して送られ、
前記少なくとも1つの好適なビームが、前記複数のビームの受信信号品質に基づいて決定される、請求項1に記載の方法。
【請求項３】
前記第1のアップリンク送信が、前記RACH手順の間に送られた第1のメッセージの送信または再送信を含み、
前記少なくとも1つの好適なビームを決定するステップが、ランダムアクセス応答(RAR)窓の持続時間に少なくとも部分的に基づいて前記少なくとも1つの好適なビームを決定するステップを含む、請求項1に記載の方法。
【請求項４】
前記少なくとも1つの好適なビームが、RAR窓の中で異なる時間において使用するために示された複数の異なるビームを含む、請求項1に記載の方法。
【請求項５】
前記第1のアップリンク送信が、RACHプリアンブル送信を含み、
前記少なくとも1つの好適なビームが、前記RACH手順の一部である少なくとも2つの送信に対して示された少なくとも2つの好適なビームを含む、請求項1に記載の方法。
【請求項６】
前記RACH手順を完了した後に使用するための少なくとも1つの好適なビームの指示を提供するステップをさらに含む、請求項1に記載の方法。
【請求項７】
前記第1のアップリンク送信が、前記第1のアップリンク送信のペイロード中に前記指示を含む、請求項1に記載の方法。
【請求項８】
前記少なくとも1つの後続の送信が、前記RACH手順のダウンリンク送信を含み、
前記方法が、示された少なくとも1つの好適なビームに対応する受信ビームを使用して前記RACH手順の前記ダウンリンク送信を処理するステップをさらに含む、請求項1に記載の方法。
【請求項９】
異なる好適なビームの指示に使用するためのリソースの異なるセットの区分を示す構成情報を受信するステップをさらに含み、
前記少なくとも1つの好適なビームの前記指示を提供するステップが、前記区分に基づいて前記第1のアップリンク送信のために選択されたリソースに基づいて前記指示を提供するステップを含む、請求項1に記載の方法。
【請求項１０】
前記少なくとも1つの好適なビームの前記指示を提供するステップが、
前記第1のアップリンク送信のためのリソースの前記異なるセットのうちの第1のセットからリソースを選択することによって好適なビームの第1の組合せの指示を提供するステップ、または
前記第1のアップリンク送信のためのリソースの前記異なるセットのうちの第2のセットからリソースを選択することによって好適なビームの第2の組合せの指示を提供するステップ
を含む、請求項9に記載の方法。
【請求項１１】
前記第1のアップリンク送信のためのリソースの第1のセットからのリソースを使用することが、前記第1のアップリンク送信のために使用されるビームインデックスに対する第1のビームインデックスオフセットを前記少なくとも1つの好適なビームが有することを示し、
前記第1のアップリンク送信のためのリソースの第2のセットからのリソースを使用することが、前記第1のアップリンク送信のために使用される前記ビームインデックスに対する第2のビームインデックスオフセットを前記少なくとも1つの好適なビームが有することを示す、請求項9に記載の方法。
【請求項１２】
前記構成情報を受信するステップが、マスタ情報ブロック(MIB)または残りの最小システム情報(RMSI)のうちの少なくとも1つを介して前記構成情報を受信するステップを含む、請求項9に記載の方法。
【請求項１３】
リソースの各セットが、少なくとも1つのシーケンスインデックス、時間ロケーション、および周波数ロケーションの組合せを含む、請求項9に記載の方法。
【請求項１４】
ネットワークエンティティによるワイヤレス通信のための方法であって、
異なる好適なビームの指示に使用するためのリソースの異なるセットの区分を示す構成情報をシグナリングするステップと、
リソースの前記セットのうちの1つを使用して送られた第1のアップリンク送信をユーザ機器(UE)から受信するステップであって、前記第1のアップリンク送信がランダムアクセスチャネル(RACH)手順の一部であり、前記リソースの前記セットのうちの1つが、前記少なくとも1つの後続の送信の予想時間に基づいて決定された、少なくとも1つの後続のダウンリンク送信に対する少なくとも1つの好適なビームを示し、前記少なくとも1つの好適なビームは、前記RACH手順のメッセージの送信の間の時間期間内にチャネル条件が変化する後続の送信の時点において好適であることが予測されるビームである、ステップと、
前記RACH手順の少なくとも1つの後続のダウンリンク送信に対する少なくとも1つの好適なビームを、前記区分と前記第1のアップリンク送信を送るために使用されるリソースの前記セットとに基づいて決定するステップと、
前記少なくとも1つの好適なビームを使用して前記RACH手順の前記少なくとも1つの後続のダウンリンク送信を送信するステップとを含む、方法。
【請求項１５】
前記決定するステップが、
前記第1のアップリンク送信がリソースの前記セットのうちの第1のセットを使用して受信される場合に、少なくとも2つの後続の送信に対する好適なビームの第1の組合せが示されると決定するステップか、または
前記第1のアップリンク送信がリソースの前記セットのうちの第2のセットを使用して受信される場合に、前記少なくとも2つの後続の送信に対する好適なビームの第2の組合せが示されると決定するステップを含む、請求項14に記載の方法。
【請求項１６】
前記第1のアップリンク送信が、前記RACH手順の間に送られた第1のメッセージの送信または再送信を含み、
複数の異なるビームが、ランダムアクセス応答(RAR)窓の中で異なる時間において使用するために示される、請求項14に記載の方法。
【請求項１７】
前記第1のアップリンク送信が、RACHプリアンブル送信を含み、
前記少なくとも1つの好適なビームが、前記RACH手順の一部である少なくとも2つの送信に対して示された少なくとも2つの好適なビームを含む、請求項14に記載の方法。
【請求項１８】
前記RACH手順を完了した後に使用するための少なくとも1つの好適なビームの指示を提供するステップをさらに含む、請求項14に記載の方法。
【請求項１９】
前記第1のアップリンク送信のペイロードが前記指示を含む、請求項14に記載の方法。
【請求項２０】
前記方法が、前記示された好適なビームに対応する受信ビームを使用して前記UEが前記ダウンリンク送信を受信するように、前記RACH手順のダウンリンク送信を前記UEに送信するステップをさらに含む、請求項14に記載の方法。
【請求項２１】
前記第1のアップリンク送信のためのリソースの第1のセットが、前記第1のアップリンク送信のために使用されるビームインデックスに対する第1のビームインデックスオフセットを前記好適なビームが有することを示し、
前記第1のアップリンク送信のためのリソースの第2のセットが、前記第1のアップリンク送信のために使用される前記ビームインデックスに対する第2のビームインデックスオフセットを前記好適なビームが有することを示す、請求項14に記載の方法。
【請求項２２】
前記構成情報が、マスタ情報ブロック(MIB)または残りの最小システム情報(RMSI)のうちの少なくとも1つを介してシグナリングされる、請求項14に記載の方法。
【請求項２３】
リソースの各セットが、少なくとも1つのシーケンスインデックス、時間ロケーション、および周波数ロケーションの組合せを含む、請求項14に記載の方法。
【請求項２４】
ユーザ機器(UE)によるワイヤレス通信のための装置であって、
1つまたは複数のダウンリンク信号および少なくとも1つの後続の送信の予想時間に基づいて、ランダムアクセスチャネル(RACH)手順の少なくとも1つの後続のダウンリンク送信に対する少なくとも1つの好適なビームを決定するための手段であって、前記少なくとも1つの好適なビームは、前記RACH手順のメッセージの送信の間の時間期間内にチャネル条件が変化する後続の送信の時点において好適であることが予測されるビームである、手段と、
第1のアップリンク送信を介して前記好適なビームの指示を提供するための手段と、
前記RACH手順の一部として前記第1のアップリンク送信を送るための手段と、
前記第1のアップリンク送信を送った後に、前記少なくとも1つの好適なビームを介して前記RACH手順の前記少なくとも1つの後続のダウンリンク送信を受信するための手段と
を含む、装置。
【請求項２５】
ネットワークエンティティによるワイヤレス通信のための装置であって、
異なる好適なビームの指示に使用するためのリソースの異なるセットの区分を示す構成情報をシグナリングするための手段と、
リソースの前記セットのうちの1つを使用して送られた第1のアップリンク送信をユーザ機器(UE)から受信するための手段であって、前記第1のアップリンク送信がランダムアクセスチャネル(RACH)手順の一部であり、前記リソースの前記セットのうちの1つが、前記少なくとも1つの後続の送信の予想時間に基づいて決定された、少なくとも1つの後続のダウンリンク送信に対する少なくとも1つの好適なビームを示し、前記少なくとも1つの好適なビームは、前記RACH手順のメッセージの送信の間の時間期間内にチャネル条件が変化する後続の送信の時点において好適であることが予測されるビームである、手段と、
前記RACH手順の少なくとも1つの後続のダウンリンク送信に対する少なくとも1つの好適なビームを、前記区分と前記第1のアップリンク送信を送るために使用されるリソースの前記セットとに基づいて決定するための手段と、
前記少なくとも1つの好適なビームを使用して前記RACH手順の前記少なくとも1つの後続のダウンリンク送信を送信するための手段と
を含む、装置。
【請求項２６】
前記1つまたは複数のダウンリンク信号が、複数のビームにわたる掃引を介して送られ、
前記少なくとも1つの好適なビームが、前記複数のビームの受信信号品質に基づいて決定される、請求項24に記載の装置。
【請求項２７】
前記第1のアップリンク送信が、前記RACH手順の間に送られた第1のメッセージの送信または再送信を含み、
前記少なくとも1つの好適なビームを決定するための手段が、ランダムアクセス応答(RAR)窓の持続時間に少なくとも部分的に基づいて前記少なくとも1つの好適なビームを決定するための手段を含む、請求項24に記載の装置。
【請求項２８】
異なる好適なビームの指示に使用するためのリソースの異なるセットの区分を示す構成情報を受信するための手段をさらに含み、
前記少なくとも1つの好適なビームの前記指示を提供するための手段が、前記区分に基づいて前記第1のアップリンク送信のために選択されたリソースに基づいて前記指示を提供するように構成される、請求項24に記載の装置。
【発明の詳細な説明】
【技術分野】
【０００１】
関連出願の相互参照
本出願は、2017年7月18日に出願された米国仮特許出願第62/534,153号および2018年7月17日に出願された米国特許出願第16/037,693号の利益を主張し、その両出願の全体が参照により本明細書に組み込まれている。
【０００２】
本開示の態様は、ワイヤレス通信に関し、より詳細には、ランダムアクセスチャネル(RACH)通信に関する。
【背景技術】
【０００３】
ワイヤレス通信システムは、電話、ビデオ、データ、メッセージング、およびブロードキャストなどの、様々な電気通信サービスを提供するために広く展開されている。一般のワイヤレス通信システムは、利用可能なシステムリソース(たとえば、帯域幅、送信電力)を共有することによって複数のユーザとの通信をサポートすることが可能な多元接続技術を採用し得る。そのような多元接続技術の例は、ロングタームエボリューション(LTE)システム、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
いくつかの例では、ワイヤレス多元接続通信システムは、ユーザ機器(UE)としても知られている複数の通信デバイスのための通信を各々が同時にサポートする、いくつかの基地局を含み得る。LTEまたはLTE-Aネットワークでは、1つまたは複数の基地局のセットがeノードB(eNB)を定義してよい。他の例では(たとえば、次世代または5Gネットワークでは)、ワイヤレス多元接続通信システムは、いくつかの中央ユニット(CU)(たとえば、中央ノード(CN)、アクセスノードコントローラ(ANC)など)と通信しているいくつかの分散ユニット(DU)(たとえば、エッジユニット(EU)、エッジノード(EN)、無線ヘッド(RH)、スマート無線ヘッド(SRH)、送信受信ポイント(TRP)など)を含んでもよく、中央ユニットと通信している1つまたは複数の分散ユニットのセットは、アクセスノード(たとえば、ニューラジオ基地局(NR BS)、ニューラジオノードB(NR NB)、ネットワークノード、5G NB、gNBなど)を定義してもよい。基地局またはDUは、(たとえば、基地局または分散ユニットからUEへの送信のための)ダウンリンクチャネルおよび(たとえば、UEから基地局または分散ユニットへの送信のための)アップリンクチャネル上でUEのセットと通信してよい。
【０００５】
これらの多元接続技術は、異なるワイヤレスデバイスが都市、国家、地域、さらには地球規模で通信することを可能にする共通プロトコルを提供するために、様々な電気通信規格において採用されている。新生の電気通信規格の一例は、ニューラジオ(NR)、たとえば、5G無線アクセスと呼ばれる。それは、スペクトル効率を改善し、コストを削減し、サービスを改善し、新しいスペクトルを利用し、またダウンリンク(DL)およびアップリンク(UL)上でOFDMAをサイクリックプレフィックス(CP)とともに使用する他のオープン規格とよりうまく統合することによって、モバイルブロードバンドインターネットアクセスをよりうまくサポートし、ならびにビームフォーミング、多入力多出力(MIMO)アンテナ技術、およびキャリアアグリゲーションをサポートするように設計されている。
【発明の概要】
【発明が解決しようとする課題】
【０００６】
しかしながら、モバイルブロードバンドアクセスに対する需要が増大し続けるにつれて、NR技術におけるさらなる改善が必要である。好ましくは、これらの改善は、他の多元接続技術、およびこれらの技術を用いる電気通信規格に適用可能であるべきである。
【課題を解決するための手段】
【０００７】
本開示のシステム、方法、およびデバイスはそれぞれ、いくつかの態様を有し、それらのうちの単一の態様だけが、その望ましい属性を担うわけではない。以下の特許請求の範囲によって表される本開示の範囲を限定することなく、いくつかの特徴についてここで簡潔に説明する。この説明を考慮した後、また特に「発明を実施するための形態」と題するセクションを読んだ後、本開示の特徴が、ワイヤレスネットワークにおけるアクセスポイントと局との間の改善された通信を含む利点をどのようにもたらすかが理解されよう。
【０００８】
本開示のいくつかの態様は、ユーザ機器(UE)によるワイヤレス通信のための方法を提供する。方法は、一般に、1つまたは複数のダウンリンク信号および少なくとも1つの後続の送信の予想時間に基づいて少なくとも1つの後続の送信に対して少なくとも1つの好適なビームを決定するステップと、第1のアップリンク送信を介して好適なビームの指示を提供するステップとを含む。
【０００９】
本開示のいくつかの態様は、ネットワークエンティティによって実行され得るワイヤレス通信のための方法を提供する。方法は、一般に、異なる好適なビームを示すために使用するためのリソースの異なるセットの区分を示す構成情報をシグナリングするステップと、リソースのセットのうちの1つを使用して送られた第1のアップリンク送信をユーザ機器(UE)から受信するステップと、少なくとも1つの後続の送信に対する少なくとも1つの好適なビームを、区分と第1のアップリンク送信を送るために使用されたリソースのセットとに基づいて決定するステップとを含む。
【００１０】
態様は、一般に、添付の図面を参照しながら本明細書で十分に説明され、添付の図面によって示される、方法、装置、システム、コンピュータ可読媒体、および処理システムを含む。
【００１１】
上記の目的および関係する目的を達成するために、1つまたは複数の態様は、以下で十分に説明され、特に特許請求の範囲で指摘される特徴を含む。以下の説明および添付の図面は、1つまたは複数の態様のいくつかの例示的な特徴を詳細に記載する。しかしながら、これらの特徴は、様々な態様の原理が利用され得る様々な方法のほんのいくつかを示すものであり、この説明は、すべてのそのような態様およびそれらの均等物を含むものである。
【００１２】
本開示の上記の特徴が詳細に理解され得るように、上記で簡単に要約したより具体的な説明が、態様を参照することによって行われることがあり、態様のうちのいくつかは添付の図面に示される。しかしながら、本説明は他の等しく効果的な態様に通じ得るので、添付の図面が、本開示のいくつかの典型的な態様のみを示し、したがって、本開示の範囲を限定するものと見なされるべきではないことに留意されたい。
【図面の簡単な説明】
【００１３】
【図１】本開示のいくつかの態様による、例示的な電気通信システムを概念的に示すブロック図である。
【図２】本開示のいくつかの態様による、分散型RANの例示的な論理アーキテクチャを示すブロック図である。
【図３】本開示のいくつかの態様による、分散型RANの例示的な物理アーキテクチャを示す図である。
【図４】本開示のいくつかの態様による、例示的なBSおよびユーザ機器(UE)の設計を概念的に示すブロック図である。
【図５】本開示のいくつかの態様による、通信プロトコルスタックを実装するための例を示す図である。
【図６】本開示のいくつかの態様による、ニューラジオ(NR)システムに対するフレームフォーマットの一例を示す図である。
【図７】本開示のいくつかの態様による、異なるタイプのビームの使用の一例を示す図である。
【図８】本開示のいくつかの態様による、例示的な4段ランダムアクセスチャネル(RACH)手順に対するコールフロー図である。
【図９】本開示のいくつかの態様による、例示的な2段RACH手順に対するコールフロー図である。
【図１０】本開示のいくつかの態様による、ユーザ機器(UE)によるワイヤレス通信のための例示的な動作を示す図である。
【図１１】本開示のいくつかの態様による、ネットワークエンティティによるワイヤレス通信のための例示的な動作を示す図である。
【発明を実施するための形態】
【００１４】
理解を容易にするために、可能な場合、図に共通する同一の要素を示すために、同一の参照番号が使用されている。特定の具陳なしに、一態様において開示する要素が他の態様において有利に利用され得ることが企図される。
【００１５】
本開示の態様は、ランダムアクセスチャネル(RACH)通信のための装置、方法、処理システム、およびコンピュータ可読媒体を提供する。
【００１６】
本開示のいくつかの態様は、ニューラジオ(NR)(ニューラジオアクセス技術または5G技術)に適用され得る。NRは、拡張モバイルブロードバンド(eMBB:Enhanced mobile broadband)ターゲットの広い帯域幅(たとえば、80MHz超)、ミリ波(mmW:millimeter wave)ターゲットの高いキャリア周波数(たとえば、60GHz)、マッシブMTC(mMTC:massive machine-type communication)ターゲットの後方互換性のないMTC技法、および/またはミッションクリティカルターゲットの超高信頼低レイテンシ通信(URLLC:ultra reliable low latency communication)などの、様々なワイヤレス通信サービスをサポートし得る。これらのサービスは、レイテンシ要件および信頼性要件を含み得る。これらのサービスはまた、それぞれのサービス品質(QoS)要件を満たすための異なる送信時間間隔(TTI)を有し得る。加えて、これらのサービスは、同じサブフレームにおいて共存し得る。
【００１７】
以下の説明は例を提供するものであり、特許請求の範囲に記載される範囲、適用可能性、または例を限定するものではない。本開示の範囲から逸脱することなく、説明する要素の機能および構成に変更が加えられてよい。様々な例は、様々な手順または構成要素を適宜に省略してよく、置換してよく、または追加してよい。たとえば、説明する方法は、説明する順序とは異なる順序で実行されてよく、様々なステップが追加されてよく、省略されてよく、または組み合わせられてよい。また、いくつかの例に関して説明する特徴が、いくつかの他の例では組み合わせられてよい。たとえば、本明細書に記載される任意の数の態様を使用して、装置が実装されてよく、または方法が実践されてよい。加えて、本開示の範囲は、本明細書に記載された本開示の様々な態様に加えて、またはそれらの態様以外に、他の構造、機能、または構造および機能を使用して実践されるそのような装置または方法を包含するものとする。本明細書で開示する本開示のいずれの態様も、請求項の1つまたは複数の要素によって具現化され得ることを理解されたい。「例示的」という語は、本明細書では「例、事例、または例示として機能すること」を意味するために使用される。本明細書で「例示的」であるものとして説明されるいずれの態様も、必ずしも他の態様よりも好ましいまたは有利であると解釈されるべきではない。
【００１８】
本明細書で説明する技法は、LTE、CDMA、TDMA、FDMA、OFDMA、SC-FDMA、および他のネットワークなどの、様々なワイヤレス通信ネットワークに使用され得る。「ネットワーク」および「システム」という用語は、しばしば、互換的に使用される。CDMAネットワークは、ユニバーサル地上無線アクセス(UTRA)、cdma2000などの無線技術を実装し得る。UTRAは、広帯域CDMA(WCDMA(登録商標))、およびCDMAの他の変形を含む。cdma2000は、IS-2000規格、IS-95規格、およびIS-856規格を対象とする。TDMAネットワークは、モバイル通信用グローバルシステム(GSM(登録商標))などの無線技術を実装し得る。OFDMAネットワークは、NR(たとえば、5G RA)、発展型UTRA(E-UTRA)、ウルトラモバイルブロードバンド(UMB)、IEEE 802.11(Wi-Fi)、IEEE 802.16(WiMAX)、IEEE 802.20、Flash-OFDMAなどの無線技術を実装し得る。UTRAおよびE-UTRAは、ユニバーサルモバイルテレコミュニケーションシステム(UMTS)の一部である。NRは、5G技術フォーラム(5GTF)とともに開発中の新しく出現したワイヤレス通信技術である。3GPPロングタームエボリューション(LTE)およびLTEアドバンスト(LTE-A)は、E-UTRAを使用するUMTSのリリースである。UTRA、E-UTRA、UMTS、LTE、LTE-AおよびGSM(登録商標)は、「第3世代パートナーシッププロジェクト」(3GPP)と称する団体による文書に記載されている。cdma2000およびUMBは、「第3世代パートナーシッププロジェクト2」(3GPP2)と称する団体の文書に記載されている。本明細書で説明する技法は、上述のワイヤレスネットワークおよび無線技術、ならびに他のワイヤレスネットワークおよび無線技術に使用され得る。明確にするために、本明細書では一般に3Gおよび/または4Gワイヤレス技術に関連する用語を使用して態様が説明されることがあるが、本開示の態様は、NR技術を含めて、5G以降のものなどの他の世代ベースの通信システムにおいて適用され得る。
【００１９】
例示的なワイヤレス通信システム
図1は、本開示の態様が実施され得る例示的なワイヤレスネットワーク100を示す。たとえば、ワイヤレスネットワークは、ニューラジオ(NR)または5Gネットワークであり得る。NRワイヤレス通信システムはビームを採用し得、ここで、BSおよびUEはアクティブビームを介して通信する。本明細書で説明するように、BSは、参照ビームを介して送信された基準信号(たとえば、MRS、CSI-RS、synch)の測定値を使用してアクティブなビームを監視し得る。
【００２０】
UE120は、ビームセットに関連するモビリティパラメータに少なくとも部分的に基づいてモビリティイベントを検出するために本明細書で説明する動作1000および方法を実行するように構成され得る。BS110は、送信受信ポイント(TRP)、ノードB(NB)、5G NB、アクセスポイント(AP)、ニューラジオ(NR)BSなどを含み得る。BS110は、ビームセットおよびビームセットの各々に関連するモビリティパラメータを構成するために本明細書で説明する動作900および方法を実行するように構成され得る。BSは、モビリティパラメータに基づく検出されたモビリティイベントの指示を受信することがあり、イベントトリガに基づいてUEのモビリティ管理に関する決定を行い得る。
【００２１】
図1に示すように、ワイヤレスネットワーク100は、いくつかのBS110と他のネットワークエンティティとを含み得る。BSは、UEと通信する局であり得る。各BS110は、特定の地理的エリアに通信カバレージを提供し得る。3GPPでは、「セル」という用語は、この用語が使用される状況に応じて、このカバレージエリアにサービスしているノードBおよび/またはノードBサブシステムのカバレージエリアを指すことがある。NRシステムでは、「セル」という用語、およびgNB、ノードB、5G NB、AP、NR BS、またはTRPは、交換可能であり得る。いくつかの例では、セルは、必ずしも静止しているとは限らないことがあり、セルの地理的エリアは、モバイル基地局のロケーションに従って移動し得る。いくつかの例では、基地局は、任意の適切なトランスポートネットワークを使用して、直接物理接続、仮想ネットワークなど、様々なタイプのバックホールインターフェースを通じて、ワイヤレスネットワーク100内で互いに、および/または1つもしくは複数の他の基地局もしくはネットワークノード(図示せず)に相互接続され得る。
【００２２】
一般に、任意の数のワイヤレスネットワークが、所与の地理的エリアにおいて展開されてよい。各ワイヤレスネットワークは、特定の無線アクセス技術(RAT)をサポートしてよく、1つまたは複数の周波数で動作してよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてよい。場合によっては、NR RATネットワークまたは5G RATネットワークが展開されてよい。
【００２３】
BSは、マクロセル、ピコセル、フェムトセル、および/または他のタイプのセルのための通信カバレージを提供し得る。マクロセルは、比較的大きい地理的エリア(たとえば、半径数キロメートル)をカバーすることができ、サービスに加入しているUEによる無制限アクセスを可能にしてよい。ピコセルは、比較的小さい地理的エリアをカバーすることができ、サービスに加入しているUEによる無制限アクセスを可能にしてよい。フェムトセルは、比較的小さい地理的エリア(たとえば、自宅)をカバーすることができ、フェムトセルとの関連を有するUE(たとえば、限定加入者グループ(CSG)内のUE、自宅内のユーザのためのUEなど)による制限付きアクセスを可能にしてよい。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS110a、110bおよび110cは、それぞれ、マクロセル102a、102bおよび102cのためのマクロBSであり得る。BS110xは、ピコセル102xのためのピコBSであり得る。BS110yおよび110zは、それぞれ、フェムトセル102yおよび102zのためのフェムトBSであり得る。BSは1つまたは複数(たとえば、3つ)のセルをサポートしてよい。
【００２４】
ワイヤレスネットワーク100は、中継局も含んでもよい。中継局は、アップストリーム局(たとえばBSまたはUE)からデータおよび/または他の情報の送信を受信し、ダウンストリーム局(たとえば、UEまたBS)にデータおよび/または他の情報の送信を送る局である。また、中継局は、他のUEのための送信を中継するUEであってもよい。図1に示す例では、中継局110rは、BS110aとUE120rとの間の通信を容易にするために、BS110aおよびUE120rと通信することができる。中継局はまた、リレーBS、リレーなどと呼ばれることもある。
【００２５】
ワイヤレスネットワーク100は、異なるタイプのBS、たとえば、マクロBS、ピコBS、フェムトBS、リレーなどを含む異種ネットワークとすることができる。これらの異なるタイプのBSは、異なる送信電力レベル、異なるカバレージエリア、およびワイヤレスネットワーク100中の干渉に対する異なる影響を有してよい。たとえば、マクロBSは高い送信電力レベル(たとえば、20ワット)を有することがあり、一方で、ピコBS、フェムトBS、およびリレーはより低い送信電力レベル(たとえば、1ワット)を有することがある。
【００２６】
ワイヤレスネットワーク100は、同期動作または非同期動作をサポートしてよい。同期動作の場合、BSは、同様のフレームタイミングを有することができ、異なるBSからの送信は、時間的にほぼ整合し得る。非同期動作の場合、BSは、異なるフレームタイミングを有する場合があり、異なるBSからの送信は、時間的に整合していない場合がある。本明細書で説明する技法は、同期動作と非同期動作の両方に使用されてよい。
【００２７】
ネットワークコントローラ130は、BSのセットに結合し、これらのBSのための調整および制御を行い得る。ネットワークコントローラ130は、バックホールを介してBS110と通信し得る。BS110はまた、たとえば、直接、または間接的にワイヤレスバックホールもしくは有線バックホールを介して、互いに通信し得る。
【００２８】
UE120(たとえば、120x、120yなど)は、ワイヤレスネットワーク100の全体にわたって分散されてよく、各UEは静止であってよく、またはモバイルであってよい。UEは、移動局、端末、アクセス端末、加入者ユニット、局、顧客構内設備(CPE:Customer Premises Equipment)、セルラーフォン、スマートフォン、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは医療機器、生体センサー/デバイス、スマートウォッチ、スマート衣料、スマートグラス、スマートリストバンド、スマートジュエリー(たとえば、スマートリング、スマートブレスレットなど)などのウェアラブルデバイス、娯楽デバイス(たとえば、音楽デバイス、ビデオデバイス、衛星無線など)、車両コンポーネントもしくは車両センサー、スマートメータ/センサー、工業生産機器、全地球測位システムデバイス、またはワイヤレス媒体もしくはワイヤード媒体を介して通信するように構成された任意の他の適切なデバイスと呼ばれる場合もある。一部のUEは、発展型もしくはマシンタイプ通信(MTC)デバイスまたは発展型MTC(eMTC)デバイスと見なされる場合がある。MTC UEおよびeMTC UEは、BS、別のデバイス(たとえば、リモートデバイス)、または何らかの他のエンティティと通信することができる、たとえば、ロボット、ドローン、リモートデバイス、センサー、メータ、モニタ、ロケーションタグなどを含む。ワイヤレスノードは、たとえば、ワイヤード通信リンクまたはワイヤレス通信リンクを介して、ネットワーク(たとえば、インターネットもしくはセルラーネットワークなどのワイドエリアネットワーク)のための、またはネットワークへの接続性を提供し得る。一部のUEは、モノのインターネット(IoT)デバイスと見なされ得る。
【００２９】
図1において、二重矢印を有する実線は、UEとサービングBSとの間の所望の送信を示し、サービングBSは、ダウンリンクおよび/またはアップリンク上でUEにサービスするように指定されたBSである。二重矢印を有する破線は、UEとBSとの間の干渉する送信を示す。
【００３０】
特定のワイヤレスネットワーク(たとえば、LTE)は、ダウンリンク上で直交周波数分割多重化(OFDM)を利用し、かつアップリンク上でシングルキャリア周波数分割多重化(SC-FDM)を利用する。OFDMおよびSC-FDMは、システム帯域幅を、一般に、トーン、ビンなどとも呼ばれる、複数の(K個の)直交サブキャリアに区分する。各サブキャリアは、データで変調され得る。一般に、変調シンボルは、OFDMでは周波数領域において送られ、SC-FDMでは時間領域において送られる。隣接するサブキャリア間の間隔は固定される場合があり、サブキャリアの総数(K)は、システム帯域幅に依存する場合がある。たとえば、サブキャリアの間隔は15kHzであってよく、最小のリソース割振り(「リソースブロック」と呼ばれる)は12個のサブキャリア(または180kHz)であってよい。その結果、公称FFTサイズは、1.25、2.5、5、10または20メガヘルツ(MHz)のシステム帯域幅に対して、それぞれ、128、256、512、1024または2048に等しくなり得る。システム帯域幅はまた、サブバンドに区分され得る。たとえば、サブバンドは、1.08MHz(すなわち、6個のリソースブロック)をカバーすることができ、1.25、2.5、5、10または20MHzのシステム帯域幅に対して、それぞれ、1、2、4、8または16個のサブバンドが存在し得る。
【００３１】
本明細書で説明する例の態様はLTE技術に関連付けられ得るが、本開示の態様は、NRなど、他のワイヤレス通信システムに適用可能であり得る。
【００３２】
NRは、アップリンクおよびダウンリンク上でCPを用いてOFDMを利用し、TDDを使用する半二重動作に対するサポートを含み得る。100MHzの単一のコンポーネントキャリア帯域幅がサポートされ得る。NRリソースブロックは、0.1msの持続時間にわたって、サブキャリア帯域幅が75kHzの12個のサブキャリアにまたがり得る。各無線フレームは、10msの長さを有する、50個のサブフレームで構成され得る。結果として、各サブフレームは0.2msの長さを有することができる。各サブフレームは、データ送信用のリンク方向(すなわち、DLまたはUL)を示してよく、サブフレームごとのリンク方向は、動的に切り替えられてよい。各サブフレームは、DL/ULデータならびにDL/UL制御データを含み得る。NRに関するULサブフレームおよびDLサブフレームは、図6および図7に関して以下でより詳細に説明されるようなものであり得る。ビームフォーミングがサポートされ得、ビーム方向が動的に構成され得る。プリコーディングを用いたMIMO送信もサポートされ得る。DLにおけるMIMO構成は、最大で8個のストリームおよびUEごとに最大で2個のストリームを用いたマルチレイヤDL送信で最大で8個の送信アンテナをサポートし得る。UEごとに最大で2個のストリームを用いたマルチレイヤ送信がサポートされ得る。最大で8個のサービングセルを用いて複数のセルのアグリゲーションがサポートされ得る。代替として、NRは、OFDMベース以外の異なるエアインターフェースをサポートし得る。NRネットワークは、CUおよび/またはDUなどのエンティティを含み得る。
【００３３】
いくつかの例では、エアインターフェースへのアクセスがスケジュールされてよく、スケジューリングエンティティ(たとえば、基地局)は、そのサービスエリアまたはセル内のいくつかのまたはすべてのデバイスおよび機器の間で通信のためのリソースを割り振る。本開示内では、以下でさらに説明するように、スケジューリングエンティティは、1つまたは複数の従属エンティティ用のリソースをスケジュールすること、割り当てること、再構成すること、および解放することを担当し得る。すなわち、スケジュールされた通信に対して、従属エンティティは、スケジューリングエンティティによって割り振られたリソースを利用する。基地局は、スケジューリングエンティティとして機能し得る唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能し得る。この例では、UEは、スケジューリングエンティティとして機能しており、他のUEは、ワイヤレス通信のためにUEによってスケジュールされたリソースを利用する。UEは、ピアツーピア(P2P)ネットワーク中および/またはメッシュネットワーク中でスケジューリングエンティティとして機能し得る。メッシュネットワーク例では、UEは、スケジューリングエンティティと通信することに加えて、場合によっては互いに直接通信し得る。
【００３４】
したがって、時間-周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信し得る。
【００３５】
上述のように、RANは、CUおよびDUを含み得る。NR BS(たとえば、gNB、5GノードB、ノードB、送信受信ポイント(TRP)、アクセスポイント(AP))が、1つまたは複数のBSに対応し得る。NRセルは、アクセスセル(ACell)またはデータオンリーセル(DCell)として構成され得る。たとえば、RAN(たとえば、集約ユニットまたは分散ユニット)は、セルを構成することができる。DCellは、キャリアアグリゲーションまたは二重接続性に使用されるが、初期アクセス、セル選択/再選択、またはハンドオーバに使用されないセルであり得る。場合によっては、DCellは同期信号を送信しないことがあり、場合によっては、DCellはSSを送信することがある。NR BSは、セルタイプを示すダウンリンク信号をUEに送信し得る。セルタイプ指示に基づいて、UEはNR BSと通信し得る。たとえば、UEは、示されたセルタイプに基づいて、セル選択用、アクセス用、ハンドオーバ用、および/または測定用と見なすべきNR BSを決定し得る。
【００３６】
図2は、図1に示すワイヤレス通信システムにおいて実装され得る、分散型無線アクセスネットワーク(RAN)200の例示的な論理アーキテクチャを示す。5Gアクセスノード206は、アクセスノードコントローラ(ANC)202を含み得る。ANCは、分散型RAN200の中央ユニット(CU)であり得る。次世代コアネットワーク(NG-CN)204へのバックホールインターフェースは、ANCにおいて終端し得る。ネイバリング次世代アクセスノード(NG-AN)へのバックホールインターフェースは、ANCにおいて終端し得る。ANCは、(BS、NR BS、ノードB、5G NB、AP、または何らかの他の用語で呼ばれることもある)1つまたは複数のTRP208を含み得る。上記で説明されたように、TRPは、「セル」と互換的に使用され得る。
【００３７】
TRP208はDUであってよい。TRPは、1つのANC(ANC202)または2つ以上のANC(図示せず)に接続されてよい。たとえば、RAN共有、サービスとしての無線(RaaS)、およびサービス固有AND展開の場合、TRPは2つ以上のANCに接続されてよい。TRPは1つまたは複数のアンテナポートを含んでよい。TRPは、UEにトラフィックを個別(たとえば、動的選択)または一緒(たとえば、ジョイント送信)にサービスするように構成されてよい。
【００３８】
ローカルアーキテクチャ200は、フロントホール定義を示すために使用されてよい。様々な展開タイプにわたってフロントホール解決策をサポートするアーキテクチャが定義されてよい。たとえば、アーキテクチャは、送信ネットワーク能力(たとえば、帯域幅、待ち時間、および/またはジッタ)に基づいてよい。
【００３９】
アーキテクチャは、LTEと特徴および/または構成要素を共有することができる。態様によれば、次世代AN(NG-AN)210は、NRとのデュアル接続性をサポートすることができる。NG-ANは、LTEおよびNR用の共通フロントホールを共有することができる。
【００４０】
アーキテクチャは、TRP208間(between and among)の調整を可能にすることができる。たとえば、調整は、ANC202を介してTRP内および/またはTRPにわたって事前設定されてよい。態様によれば、TRP間インターフェースは必要とされなない/存在しないことがある。
【００４１】
態様によれば、アーキテクチャ200内に分割された論理機能の動的構成が存在してよい。図5を参照しながらより詳細に説明するように、無線リソース制御(RRC)レイヤ、パケットデータコンバージェンスプロトコル(PDCP)レイヤ、無線リンク制御(RLC)レイヤ、媒体アクセス制御(MAC)レイヤ、および物理(PHY)レイヤは、DUまたはCU(たとえば、それぞれTRPまたはANC)に適応可能に配置され得る。いくつかの態様によれば、BSは、中央ユニット(CU)(たとえば、ANC202)および/または1つもしくは複数の分散ユニット(たとえば、1つもしくは複数のTRP208)を含んでよい。
【００４２】
図3は、本開示のいくつかの態様による、分散型RAN300の例示的な物理アーキテクチャを示す。集中型コアネットワークユニット(C-CU)302が、コアネットワーク機能をホストし得る。C-CUは、中央に配置されてよい。C-CU機能は、ピーク容量に対処しようとして、(たとえば、アドバンストワイヤレスサービス(AWS)に)オフロードされ得る。
【００４３】
集中型RANユニット(C-RU)304が、1つまたは複数のANC機能をホストし得る。場合によっては、C-RUは、コアネットワーク機能を局所的にホストし得る。C-RUは分散配置を有してよい。C-RUは、ネットワークエッジの近くにあってよい。
【００４４】
DU306が、1つまたは複数のTRP(エッジノード(EN)、エッジユニット(EU)、無線ヘッド(RH)、スマート無線ヘッド(SRH)など)をホストし得る。DUは、無線周波数(RF)機能を備えたネットワークのエッジに位置し得る。
【００４５】
図4は、本開示の態様を実施するために使用され得る、図1に示すBS110およびUE120の例示的な構成要素を示す。BSはTRPを含み得る。BS110およびUE120の1つまたは複数の構成要素は、本開示の態様を実践するために使用され得る。たとえば、UE120のアンテナ452、Tx/Rx454、プロセッサ466、458、464、および/もしくはコントローラ/プロセッサ480、ならびに/またはBS110のアンテナ434、プロセッサ420、430、438、および/もしくはコントローラ/プロセッサ440は、本明細書で説明し、図9〜図10を参照しながら示す動作を実行するために使用され得る。
【００４６】
図4は、図1のBSのうちの1つおよびUEのうちの1つであり得る、BS110およびUE120の設計のブロック図を示す。制限付き関連付けシナリオの場合、基地局110は図1のマクロBS110cであってよく、UE120はUE120yであってよい。基地局110はまた、何らかの他のタイプの基地局であってよい。基地局110はアンテナ434a〜434tを備えてもよく、UE120はアンテナ452a〜452rを備えてもよい。
【００４７】
基地局110において、送信プロセッサ420は、データソース412からデータを受信し、コントローラ/プロセッサ440から制御情報を受信し得る。制御情報は、物理ブロードキャストチャネル(PBCH)、物理制御フォーマットインジケータチャネル(PCFICH)、物理ハイブリッドARQインジケータチャネル(PHICH)、物理ダウンリンク制御チャネル(PDCCH)などに関するものであってよい。データは、物理ダウンリンク共有チャネル(PDSCH)などに関するものであってよい。プロセッサ420は、データおよび制御情報を処理(たとえば、符号化およびシンボルマッピング)して、それぞれデータシンボルおよび制御シンボルを取得することができる。プロセッサ420はまた、たとえば、PSS、SSS、およびセル固有の基準信号(CRS)に関する基準シンボルなどを生成してもよい。送信(TX)多入力多出力(MIMO)プロセッサ430は、適用可能な場合には、データシンボル、制御シンボル、および/または基準シンボルに対して空間処理(たとえば、プリコーディング)を実行することができ、出力シンボルストリームを変調器(MOD)432a〜432tに提供することができる。各変調器432は、(たとえば、OFDMなどのための)それぞれの出力シンボルストリームを処理して、出力サンプルストリームを取得することができる。各変調器432は、出力サンプルストリームをさらに処理(たとえば、アナログに変換、増幅、フィルタリング、およびアップコンバート)して、ダウンリンク信号を取得することができる。変調器432a〜432tからのダウンリンク信号を、それぞれアンテナ434a〜434tを介して送信してよい。
【００４８】
UE120において、アンテナ452a〜452rは、基地局110からダウンリンク信号を受信することができ、受信信号をそれぞれ復調器(DEMOD)454a〜454rに提供することができる。各復調器454は、それぞれの受信信号を調整(たとえば、フィルタリング、増幅、ダウンコンバート、およびデジタル化)して、入力サンプルを取得することができる。各復調器454は、(たとえば、OFDMなどのための)入力サンプルをさらに処理して、受信シンボルを取得することができる。MIMO検出器456は、すべての復調器454a〜454rから受信シンボルを取得し、適用可能な場合、受信シンボルに対してMIMO検出を実行し、検出されたシンボルを提供することができる。受信プロセッサ458は、検出されたシンボルを処理(たとえば、復調、デインターリーブ、および復号)し、UE120のための復号されたデータをデータシンク460に提供し、復号された制御情報をコントローラ/プロセッサ480に提供することができる。
【００４９】
アップリンクでは、UE120において、送信プロセッサ464が、データソース462からの(たとえば、物理アップリンク共有チャネル(PUSCH)についての)データ、およびコントローラ/プロセッサ480からの(たとえば、物理アップリンク制御チャネル(PUCCH)についての)制御情報を受信し、処理してよい。送信プロセッサ464はまた、基準信号のための基準シンボルを生成し得る。送信プロセッサ464からのシンボルは、適用可能な場合には、TX MIMOプロセッサ466によってプリコーディングされ、(たとえばSC-FDMなどのために)復調器454a〜454rによってさらに処理され、基地局110に送信されてよい。BS110において、UE120からのアップリンク信号は、アンテナ434によって受信され、変調器432によって処理され、適用可能な場合には、MIMO検出器436によって検出され、受信プロセッサ438によってさらに処理されて、UE120によって送られた復号データおよび制御情報を取得し得る。受信プロセッサ438は、データシンク439に復号されたデータを提供し、コントローラ/プロセッサ440に復号された制御情報を提供してよい。
【００５０】
コントローラ/プロセッサ440および480は、それぞれ基地局110およびUE120における動作を指示し得る。基地局110におけるプロセッサ440ならびに/または他のプロセッサおよびモジュールは、たとえば、様々な図に示す機能的ブロックの実施および/または本明細書で説明する技法に対する他のプロセスを実行または指示し得る。UE120におけるプロセッサ480ならびに/または他のプロセッサおよびモジュールも、たとえば、本明細書で説明し、様々な図に示す技法に対する対応する/相補的なプロセスの実施を実行または指示し得る。メモリ442および482は、それぞれBS110およびUE120のためのデータおよびプログラムコードを記憶し得る。スケジューラ444は、ダウンリンクおよび/またはアップリンク上でのデータ送信のためにUEをスケジューリングし得る。
【００５１】
図5は、本開示の態様による、通信プロトコルスタックを実装するための例を示す図500を示す。示された通信プロトコルスタックは、5Gシステム内で動作するデバイスによって実装され得る。図500は、無線リソース制御(RRC)レイヤ510、パケットデータコンバージェンスプロトコル(PDCP)レイヤ515、無線リンク制御(RLC)レイヤ520、媒体アクセス制御(MAC)レイヤ525、および物理(PHY)レイヤ530を含む通信プロトコルスタックを示す。様々な例では、プロトコルスタックのレイヤは、ソフトウェアの個別のモジュール、プロセッサもしくはASICの部分、通信リンクによって接続された非コロケートデバイスの部分、またはそれらの様々な組合せとして実装され得る。コロケート実装形態および非コロケート実装形態は、たとえば、ネットワークアクセスデバイス(たとえば、AN、CU、および/もしくはDU)またはUEのためのプロトコルスタックの中で使用されてよい。
【００５２】
第1のオプション505-aは、プロトコルスタックの実装が集中ネットワークアクセスデバイス(たとえば、図2のANC202)と分散ネットワークアクセスデバイス(たとえば、図2のDU208)との間で分割される、プロトコルスタックの分割実装形態を示す。第1のオプション505-aでは、RRCレイヤ510およびPDCPレイヤ515は、集約ユニットによって実装されてよく、RLCレイヤ520、MACレイヤ525、およびPHYレイヤ530は、DUによって実装されてよい。様々な例では、CUおよびDUは、コロケートされてよく、またはコロケートされなくてもよい。第1のオプション505-aは、マクロセル配置、マイクロセル配置、またはピコセル配置において有用であり得る。
【００５３】
第2のオプション505-bは、プロトコルスタックが単一のネットワークアクセスデバイス(たとえば、アクセスノード(AN)、ニューラジオ基地局(NB BS)、ニューラジオノードB(NR NB)、ネットワークノード(NN)など)の中で実装される、プロトコルスタックの統合実装形態を示す。第2のオプションでは、RRCレイヤ510、PDCPレイヤ515、RLCレイヤ520、MACレイヤ525、およびPHYレイヤ530は各々、ANによって実装され得る。第2のオプション505-bは、フェムトセル配置において有用であり得る。
【００５４】
ネットワークアクセスデバイスがプロトコルスタックの一部を実装するのか全部を実装するのかにかかわらず、UEは、全プロトコルスタック(たとえば、RRCレイヤ510、PDCPレイヤ515、RLCレイヤ520、MACレイヤ525、およびPHYレイヤ530)を実装してよい。
【００５５】
図6は、NRに対するフレームフォーマット600の一例を示す図である。ダウンリンクおよびアップリンクの各々に対する送信タイムラインは、無線フレームの単位に区分されてもよい。各無線フレームは、所定の持続時間(たとえば、10ms)を有してもよく、0〜9のインデックスを有し、各々が1msの10個のサブフレームに区分されてもよい。各サブフレームは、サブキャリア間隔に応じて可変数のスロットを含んでもよい。各スロットは、サブキャリア間隔に応じて可変数のシンボル期間(たとえば、7または14個のシンボル)を含んでもよい。各スロット内のシンボル期間は、割り当てられたインデックスであり得る。サブスロット構造と呼ばれることがあるミニスロットは、1スロット(たとえば、2、3または4シンボル)より小さい持続時間を有する送信時間間隔を指す。
【００５６】
1つのスロット内の各シンボルは、データ送信用のリンク方向(たとえば、DL、ULまたはフレキシブル)を示してもよく、各サブフレームに対するリンク方向は、動的に切り替えられてもよい。リンク方向は、スロットフォーマットに基づく場合がある。各スロットは、DL/ULデータならびにDL/UL制御情報を含んでもよい。
【００５７】
NRにおいて、同期信号(SS)ブロックが送信される。SSブロックは、PSS、SSSおよび2つのシンボルPBCHを含む。SSブロックは、図6に示すように、シンボル0〜3などの固定のスロットロケーション内で送信され得る。PSSおよびSSSは、セル探索およびセル捕捉のためにUEによって使用されてもよい。PSSはハーフフレームタイミングを提供してもよく、SSSはCP長さおよびフレームタイミングを提供してもよい。PSSおよびSSSは、セル識別情報を提供してもよい。PBCHは、ダウンリンクシステム帯域幅、無線フレーム内のタイミング情報、SSバーストセット周期、システムフレーム番号など、いくつかの基本システム情報を搬送する。SSブロックは、ビーム掃引をサポートするためにSSバースト内に編成され得る。残りの最小システム情報(RMSI)、システム情報ブロック(SIB)、他のシステム情報(OSI)など、さらなるシステム情報は、いくつかのサブフレーム内の物理ダウンリンク共有チャネル(PDSCH)上で送信され得る。
【００５８】
UEは、リソースの専用セットを使用してパイロットを送信することに関連する構成(たとえば、無線リソース制御(RRC)専用状態など)、またはリソースの共通セットを使用してパイロットを送信することに関連する構成(たとえば、RRC共通状態など)を含む、様々な無線リソース構成において動作し得る。RRC専用状態において動作するとき、UEは、パイロット信号をネットワークに送信するために、リソースの専用セットを選択し得る。RRC共通状態において動作するとき、UEは、パイロット信号をネットワークに送信するために、リソースの共通セットを選択し得る。いずれの場合も、UEによって送信されるパイロット信号は、ANもしくはDU、またはそれらの部分などの、1つまたは複数のネットワークアクセスデバイスによって受信され得る。各受信ネットワークアクセスデバイスは、リソースの共通セット上で送信されるパイロット信号を受信および測定するとともに、ネットワークアクセスデバイスがUEのためのネットワークアクセスデバイスの監視セットのメンバーであるUEに割り振られたリソースの専用セット上で送信されるパイロット信号も受信および測定するように構成され得る。受信ネットワークアクセスデバイスのうちの1つもしくは複数、または受信ネットワークアクセスデバイスがパイロット信号の測定値を送信する先のCUは、UE用のサービングセルを識別するために、またはUEのうちの1つもしくは複数のためのサービングセルの変更を開始するために、測定値を使用し得る。
【００５９】
例示的なmmWaveシステム
本明細書で使用するmmWaveという用語は、一般に、28GHzなどの超高周波数におけるスペクトル帯域を指す。そのような周波数は、容量を増加させるための超高密度空間再使用の機会のほか、マルチGbpsデータレートを配信することが可能な非常に大きい帯域幅を提供し得る。従来、これらのより高い周波数は、高い伝搬損失および(たとえば、建物、人間などからの)妨害の受けやすさに起因して、屋内/屋外モバイルブロードバンド用途にとって十分にロバストではなかった。
【００６０】
これらの問題にもかかわらず、mmWaveが動作するより高い周波数において、短い波長が、比較的小さいフォームファクタでの多数のアンテナ素子の使用を可能にする。mmWaveのこの特性は、より大きいエネルギーを送るとともに受信することができる狭方向ビームを形成するために活用され得、それにより、伝搬/経路損失の問題を克服するのを助けることができる。
【００６１】
これらの狭方向ビームはまた、空間再使用のために利用され得る。これは、モバイルブロードバンドサービスのためにmmWaveを利用することを可能にする主な要因のうちの1つである。加えて、見通し外(NLOS:non-line-of-site)経路(たとえば、近くの建物からの反射)は、非常に大きいエネルギーを有することがあり、見通し内(LOS:line-of-site)経路が妨害されたときに代替経路を提供する。本開示の態様は、たとえば、RACH通信に対するビームを使用することによって、そのような方向ビームを利用し得る。
【００６２】
図7は、本開示の態様による、アクティブなビーム700の一例を示す。BSおよびUEは、アクティブなビームのセットを使用して通信し得る。アクティブなビームは、データチャネルおよび制御チャネルを送信するために使用されるBSおよびUEビームペアを指し得る。データを送信するためにデータビームが使用され得、制御情報を送信するために制御ビームが使用され得る。図7に示すように、DLデータを送信するためにデータビームBS-A1が使用され得、DL制御情報を送信するために制御ビームBS-A2が使用され得る。
【００６３】
BSは、ビーム測定値およびUEからのフィードバックを使用してビームを監視し得る。たとえば、BSは、DL基準信号を使用してアクティブなビームを監視し得る。BSは、測定基準信号(MRS)、チャネル状態情報基準信号(CSI-RS)、または同期(synch)信号などのDL RSを送信し得る。UEはBSに、受信された基準信号に関連する基準信号受信電力(RSRP)を報告し得る。このようにして、BSは、アクティブなビームを監視し得る。
【００６４】
例示的なランダムアクセスチャネル(RACH)手順
ランダムアクセスチャネル(RACH)は、複数のUEによって共有され得るチャネルであり、通信のためにネットワークにアクセスするためにUEによって使用され得る。たとえば、RACHは、呼設定のために、およびデータ送信のためにネットワークにアクセスするために使用され得る。場合によっては、RACHは、UEが、無線リソース制御(RRC)接続のアイドルモードからアクティブモードに切り替えるとき、またはRRC接続モード内でハンドオーバするときに、ネットワークに初期アクセスするために使用され得る。その上、RACHは、UEがRRCアイドルモードまたはRRC非アクティブモードにあるとき、およびネットワークとの接続を再確立するときに、ダウンリンク(DL)および/またはアップリンク(UL)データ着信のために使用され得る。本開示のいくつかの態様は、通信のためのRACH手順を選択するための複数のRACH手順および技法を提供する。
【００６５】
図8は、本開示のいくつかの態様による、例示的な4段RACH手順を示すタイミング(または「コールフロー」)図800である。第1のメッセージ(MSG1)は、物理ランダムアクセスチャネル(PRACH)上でUE120からeNB110aおよびeNB110bに送られ得る。この場合、MSG1は、RACHプリアンブルのみを含み得る。eNB110aまたはeNB110bのうちの少なくとも1つは、RACHプリアンブルの識別子(ID)、タイミングアドバンス(TA)、アップリンクグラント、セル無線ネットワーク一時識別子(C-RNTI)、およびバックオフインジケータを含み得るランダムアクセス応答(RAR)メッセージ(MSG2)を用いて応答し得る。MSG2は、図示のように、PDSCH上の後続の通信に対する制御情報を含むPDCCH通信を含み得る。MSG2に応答して、MSG3が、PUSCH上でUE120からeNB110aに送信される。MSG2は、RRC接続要求、トラッキングエリア更新、およびスケジューリング要求を含み得る。次いで、eNB110aは、競合解消メッセージを含み得るMSG4を用いて応答する。
【００６６】
図9は、本開示のいくつかの態様による、例示的な2段RACH手順を示すタイミング図900である。第1の拡張メッセージ(eMSG1)は、拡張物理ランダムアクセスチャネル(ePRACH)上でUE120からeNB110aおよびeNB110bに送られ得る。この場合、eMSG1は、ランダムアクセスに対するRACHプリアンブルおよびRACHペイロード復調に対する復調基準信号(RS)を含み得る。eMSG1はまた、UE-IDおよび他のシグナリング情報(たとえば、バッファステータス報告(BSR))またはスケジューリング要求(SR)を含むRACHメッセージを含み得る。少なくとも1つのeNB110aまたはeNB110bは、RACHプリアンブルのID、タイミングアドバンス(TA)、バックオフインジケータ、競合解消メッセージ、UL/DLグラント、および送信電力制御(TPC)コマンドを含み得るランダムアクセス応答(RAR)メッセージ(eMSG2)を用いて応答し得る。
【００６７】
RACH手順の間の例示的なビーム指示
本開示のいくつかの態様は、一般に、ビーム選択を対象とし、たとえば、後続の(アップリンクおよび/またはダウンリンク)メッセージ(たとえば、後続の送信または再送信)に使用するための1つまたは複数の好適なビームを、RACH手順のアップリンク送信を介して示す。
【００６８】
NR配置では、RACH手順は、UL送信のためにUEによって使用されるビームとDL同期チャネル送信のために使用されるビームとの間のビーム関係を必要とする場合がある。図6に示すような同期信号(SS)は、ビームのセットを通して掃引して送られる(たとえば、ダウンリンク信号は複数のビームにわたる掃引を介して送られる)。一般に、UEは、SSビームに基づいて選択されたビーム(たとえば、最良の受信品質を有する対応するSSを用いて掃引されるビームのうちの1つ)を使用してMsg1を送信することになる。
【００６９】
場合によっては、Msg1に対するすべての後続のメッセージ(たとえば、4段RACHに対するMsg2、Msg3およびMsg4、ならびにMsg4に対するACK)は、その同じビームに基づき得る。これは、特に、これらのメッセージの送信の間の時間期間内にチャネル条件が著しく変化する(たとえば、高速列車などの高モビリティシナリオ)の場合、理想的ではない。Msg2内にトレーニングビームを含み、その強度がMsg3内で報告され得ることで、Msg4のビーム選択の改善が助けられ得る。同様に、Msg3はトレーニングビームを含んでもよく、そのトレーニングビームに基づいて、Msg4は今後の送信に対するビームを構成することができる。
【００７０】
残念ながら、ビームトレーニングに対応するためのターンアラウンド時間は、高速列車など、またはアップリンクとダウンリンクとの間が非対称である場合など、いくつかのシナリオにおいては制約となる場合がある。本開示の態様は、UEが、現在のロケーションまたはチャネル条件に基づいてUEが選択する現在の好適なビームだけを報告するのではなく、(たとえば、モビリティおよび後続の送信の予想時間に基づいて)後続の送信の時点において好適であることが予測されるビームをも示すことを可能にする。
【００７１】
本開示の態様は、そのようなシナリオに対処するのを助け得る後続の送信に対するビームの指示を提供するための技法を提供する。たとえば、場合によっては、RACH手順の第1の送信(たとえば、Msg1)は、後続の送信(たとえば、Msg2、他のRACHメッセージ、またはさらにはRACH手順完了後のポストRACHメッセージ)に対する好適なビーム(または複数のビーム)を示し得る。好適なビームは、掃引されるダウンリンク送信ならびに後続の送信の予想時間に基づいて決定され得る。
【００７２】
図10は、本開示のいくつかの態様による、ワイヤレス通信のための例示的な動作1000を示す。いくつかの態様では、動作1000は、UE120などのUEによって実行され得る。
【００７３】
動作1000は、ブロック1002において、1つまたは複数のダウンリンク信号および少なくとも1つの後続の送信の予想時間に基づいて、少なくとも1つの後続の送信に対する少なくとも1つの好適なビームを決定することによって開始する。1004において、UEは、第1のアップリンク送信を介して好適なビームの指示を提供する。
【００７４】
図11は、本開示のいくつかの態様による、ワイヤレス通信のための例示的な動作1100を示す。いくつかの態様では、動作1100は、上記で説明した動作1100を実行するUEとともにRACH手順に関与するeNB110a(またはgNB)などのeNBによって実行され得る。
【００７５】
動作1100は、ブロック1102において、異なる好適なビームの指示に使用するためのリソースの異なるセットの区分を示す構成情報をシグナリングすることによって開始する。1104において、eNBは、リソースのセットのうちの1つを使用して送られた第1のアップリンク送信をユーザ機器(UE)から受信する。1106において、eNBは、少なくとも1つの後続の送信に対する少なくとも1つの好適なビームを、区分と第1のアップリンク送信を送るために使用されるリソースのセットとに基づいて決定する。
【００７６】
上記で示すように、場合によっては、Msg1は、Msg2などの後続の送信に対する好適なビーム方向を(直接的または間接的に)示すために使用され得る。場合によっては、指示は、単に、Msg1と同じビーム(たとえば、ビームペアにおいて対応するビーム)を使用するためのMsg2に対するデフォルトであり得る。
【００７７】
4段RACHシナリオ(たとえば、図8を参照しながら上記で説明した)では、Msg1はシーケンスを含み、PRACHリソース空間区分を介して情報を搬送するために使用され得る。そのような区分は、異なるビームをシグナリングするためにリソースの異なるセットを示し得る。リソースの各セットは、たとえば、プリアンブルシーケンス、時間および/または周波数ロケーションの組合せであり得る。このようにして、PRACH送信に対して選択されたリソースは、好適なビームまたは好適なビームの組合せを示し得る。
【００７８】
一例として、リソースの第1のセットは、「デフォルト」ビームを示す(たとえば、Msg1と同じビームを使用する)ために割り当てられ得る一方で、リソースの異なるセットは、次のSS-ビームを使用することを示すために割り当てられる(たとえば、すなわち、msg1がSS-ビームインデックスiを使用した場合、msg2に対する好適なビームは、(SSビームの総数)を法とするSS-ビームインデックス(i+1)、またはデフォルトビームインデックスに対する何らかの他のビームインデックスオフセットに対応し得る)。同様に、複数の好適なビームが(たとえば、複数の後続の送信に対して)示されるとき、区分が実行され、それにより、リソースの異なるセットが、好適なビームの異なる組合せに対応する。
【００７９】
場合によっては、そのような区分情報は、UEがRACH手順を開始する前にその情報を読み取ることを、マスタ情報ブロック(MIB)または残りの最小システム情報(RMSI)内でシグナリング(搬送)され得る。場合によっては、RMSIは、SIB1内で搬送され得る(「SIB1」および「RMSI」という用語は、さらに互換的に使用され得る)。RMSI内の残りの情報は、一般に、UEがPRACHを送信することができる前にUEが獲得する必要があるシステム情報を指す。
【００８０】
図9を参照しながら上記で説明したような2段RACHシナリオでは、Msg1はペイロードを含む。そのため、好適なビーム方向は、ペイロード内で、またはそのDMRS内で示され得る(Msg1 PRACHシーケンスはこのDMRSの一部であり得ることに留意されたい)。
【００８１】
場合によっては、UEは、Msg2を受信するために、示されたビーム方向に対応する受信(Rx)ビームを適用し得る。
【００８２】
様々なオプションが、「非デフォルト」指示が提供されることになるシナリオに対して存在する。たとえば、(速度が知られており、ロケーションが所与のルートに対して正確に予測され得る)高速列車のシナリオでは、モビリティは、最適ビームを、Msg1とgNB応答のMsg2との間の時間間隔内に予測可能な方式で変化させ得る。本明細書で提示する技法は、最大許容露光量(MPE)またはUL/DL非対称の何らかの他のソースがMsg1およびMsg2に対する最適ビームを異なるものにさせることがある場合にも使用され得る。
【００８３】
上述のように、(たとえばMsg1からMsg2への)メッセージ間の時間期間が、好適なビームを選択するときに考慮され得る。場合によっては、Msg2は、Msg1送信時間からの固定のオフセットにおいて開始するランダムアクセス応答(RAR)時間窓の中のどこかで着信し得る。低モビリティを有するMPEシナリオなどのいくつかの場合には、最適ビームは、この窓の中ですべての時間に対して同じであり得る。
【００８４】
しかしながら、高速列車のシナリオにおいては、これは当てはまらず、同じビームが窓全体に対して最適であるとは限らない。それゆえ、好適な1つまたは複数のビームは、RAR窓の持続時間に基づいて選択され得る。場合によっては、狭いRAR窓のサイズまたは異なるRAR窓のサイズが使用される場合がある。RAR窓のサイズは、それ自体が、事前構成されたPRACHリソース空間区分に基づいて使用されるPRACHリソースの関数であり得る。
【００８５】
いくつかの(たとえば、最適ビームが変化し得る比較的長いRAR窓の)場合では、UEは、RAR窓の中の異なる時間に対応する複数の最適ビームをシグナリングし得る。そのような場合、RAR窓の時間量子化は、窓の長さ、PRACHリソース空間区分によって示されるパラメータ、または(たとえば、MIBまたはRMSIの中で示される)他のパラメータによって決まる場合がある。複数の(RAR窓の中の異なる時間に対する)ビームを示すことは、Msg1がより多くの情報を搬送することができる2段RACH設計に対して特に好適であり得る。
【００８６】
上述のように、場合によっては、好適なビームは、Msg1およびMsg2の後に続く送信に対して示される場合がある。たとえば、高速列車シナリオにおける4段RACH手順に対して、msg3に対する最適ビームも、msg2に対する最適ビームとは異なる場合がある。したがって、Msg2とMsg3との間の遅延に応じて、異なる好適なビームが選択され、(たとえば、本明細書で説明する技法を使用してMsg1内に)示される場合がある。
【００８７】
4段RACHに対して、Msg1は低ペイロード能力(たとえば、可能なPRACHリソース空間区分の数によって制約される)を有するので、非常に粗い量子化の「非デフォルト」指示が使用される場合がある。この手法は、Msg4およびMsg5(たとえば、Msg4に対する肯定応答「ACK」)など、さらに後のメッセージに対するビーム指示に拡大適用され得る。場合によっては、これらの後続のメッセージに対する好適なビームの指示は、Msg1より高いペイロード能力を有するMsg3の中で搬送される場合がある。言い換えれば、この手法は、Msg1、Msg3、または両方に適用され得る。
【００８８】
2段RACH手順に対して、UEからの、Msg2に対する応答は、RACH手順を完了するACKとしての役目を果たす。したがって、Msg2のためのビームおよびUEのMsg2に対する応答のためのビームは、本明細書で説明する技法を使用して、Msg1の中で同様に伝達され得る。
【００８９】
上記で説明した(たとえば、4段RACHまたは2段RACH)場合のいずれにおいても、接続が確立された後(たとえば、RACH手順の後)に使用されるべき好適なビームも伝達され得る。たとえば、そのようなビーム情報は、後続のトレーニングのためのCSI-RSを構成するために、または知られている(もしくは予想される)モビリティイベントに基づいて後続のビーム切替えを事前構成するために使用され得る。
【００９０】
本明細書で開示する方法は、説明した方法を実現するための1つまたは複数のステップまたはアクションを含む。方法ステップおよび/またはアクションは、特許請求の範囲の範囲から逸脱することなく互いに入れ替えられ得る。言い換えれば、ステップまたはアクションの特定の順序が指定されない限り、特定のステップおよび/またはアクションの順序および/または使用は、特許請求の範囲の範囲から逸脱することなく修正され得る。
【００９１】
本明細書で使用する場合、項目の列挙「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または任意の他の順序のa、b、およびc)を包含するものとする。
【００９２】
本明細書で使用する「決定すること」という用語は、幅広い様々なアクションを包含する。たとえば、「決定すること」は、算出すること、計算すること、処理すること、導出すること、調査すること、ルックアップすること(たとえば、テーブル、データベースまたは別のデータ構造においてルックアップすること)、確認することなどを含んでよい。また、「決定すること」は、受信すること(たとえば、情報を受信すること)、アクセスすること(たとえば、メモリ内のデータにアクセスすること)などを含み得る。また、「決定すること」は、解決すること、選択すること、選出すること、確立することなどを含み得る。
【００９３】
前述の説明は、いかなる当業者も、本明細書で説明した様々な態様を実践することが可能になるように提供される。これらの態様の様々な変更が、当業者には容易に明らかになり、本明細書において規定される一般原理は、他の態様に適用される場合がある。したがって、特許請求の範囲は、本明細書に示した態様に限定されるものではなく、特許請求の範囲の文言と一致するすべての範囲を与えられるべきであり、単数形での要素への言及は、そのように明記されていない限り、「唯一無二の」ではなく、「1つまたは複数の」を意味するものとする。別段に明記されていない限り、「いくつかの」という用語は、1つまたは複数を指す。当業者に知られているか、または後で知られることになる、本開示全体にわたって説明した様々な態様の要素に対するすべての構造的および機能的均等物は、参照により本明細書に明確に組み込まれ、特許請求の範囲によって包含されることが意図される。その上、本明細書で開示したものは、そのような開示が特許請求の範囲に明示的に記載されているかどうかにかかわらず、公に供されるものではない。請求項の要素は、要素が「のための手段」という句を使用して明確に列挙されていない限り、または方法クレームの場合、要素が「のためのステップ」という句を使用して列挙されていない限り、米国特許法112条第6段落の規定に基づいて解釈されるべきではない。
【００９４】
上記で説明した方法の様々な動作は、対応する機能を実行することが可能な任意の適切な手段によって実行され得る。手段は、限定はしないが、回路、特定用途向け集積回路(ASIC)、またはプロセッサを含む、様々なハードウェアおよび/またはソフトウェア構成要素および/またはモジュールを含み得る。一般に、図に示される動作がある場合、それらの動作は、同様の番号を付された対応する相対物のミーンズプラスファンクション構成要素を有し得る。
【００９５】
本開示に関連して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、ディスクリートゲートもしくはトランジスタ論理、ディスクリートハードウェア構成要素、または本明細書で説明する機能を実行するように設計されたそれらの任意の組合せを用いて実装または実行され得る。汎用プロセッサは、マイクロプロセッサであってよいが、代替として、プロセッサは、任意の市販のプロセッサ、コントローラ、マイクロコントローラ、または状態機械であってよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成として実装されてもよい。
【００９６】
ハードウェアにおいて実装される場合、例示的なハードウェア構成は、ワイヤレスノード内の処理システムを含み得る。処理システムは、バスアーキテクチャを用いて実装され得る。バスは、処理システムの特定の適用例および全体的な設計制約に応じて、任意の数の相互接続バスおよびブリッジを含んでよい。バスは、プロセッサ、機械可読媒体、およびバスインターフェースを含む様々な回路を互いにリンクさせ得る。バスインターフェースは、バスを介して、とりわけ、処理システムにネットワークアダプタを接続するために使用され得る。ネットワークアダプタは、PHYレイヤの信号処理機能を実装するために使用され得る。ユーザ端末120(図1参照)の場合、ユーザインターフェース(たとえば、キーパッド、ディスプレイ、マウス、ジョイスティックなど)がバスに接続されてもよい。バスは、タイミングソース、周辺装置、電圧調整器、電力管理回路などの様々な他の回路をリンクさせる場合があるが、これらの回路は当技術分野でよく知られており、したがって、これ以上は説明しない。プロセッサは、1つまたは複数の汎用プロセッサおよび/または専用プロセッサを用いて実装されてよい。例には、マイクロプロセッサ、マイクロコントローラ、DSPプロセッサ、およびソフトウェアを実行できる他の回路が含まれる。当業者は、特定の適用例とシステム全体に課せられた全体的な設計制約とに応じて処理システムに関する上述の機能を最も適切に実装するにはどうすべきかを認識するであろう。
【００９７】
ソフトウェアにおいて実装される場合、機能は、1つまたは複数の命令またはコードとしてコンピュータ可読媒体上に記憶されるか、またはコンピュータ可読媒体を介して送信され得る。ソフトウェアは、ソフトウェア、ファームウェア、ミドルウェア、マイクロコード、ハードウェア記述言語と呼ばれるか、または他の名称で呼ばれるかどうかにかかわらず、命令、データ、またはそれらの任意の組合せを意味するように広く解釈されるべきである。コンピュータ可読媒体は、コンピュータ記憶媒体と、ある場所から別の場所へのコンピュータプログラムの伝達を容易にする任意の媒体を含む通信媒体の両方を含む。プロセッサは、機械可読記憶媒体に記憶されたソフトウェアモジュールの実行を含む、バスおよび一般的な処理を管理することを担い得る。コンピュータ可読記憶媒体は、プロセッサがその記憶媒体から情報を読み取ることができ、かつその記憶媒体に情報を書き込むことができるようにプロセッサに結合されてよい。代替として、記憶媒体は、プロセッサと一体であってよい。例として、機械可読媒体は、送信線路、データによって変調された搬送波、および/またはワイヤレスノードとは別個の命令が記憶されたコンピュータ可読記憶媒体を含んでよく、これらはすべて、バスインターフェースを介してプロセッサによってアクセスされる場合がある。代替としてまたは追加として、機械可読媒体またはその任意の部分は、キャッシュおよび/または汎用レジスタファイルと同様にプロセッサに統合されてよい。機械可読記憶媒体の例は、例として挙げると、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは任意の他の適切な記憶媒体、またはそれらの任意の組合せがあり得る。機械可読媒体はコンピュータプログラム製品内で具現化されてよい。
【００９８】
ソフトウェアモジュールは、単一の命令または多くの命令を含み得、いくつかの異なるコードセグメントにわたって、異なるプログラム間で、また複数の記憶媒体にわたって、分散され得る。コンピュータ可読媒体は、いくつかのソフトウェアモジュールを含んでよい。ソフトウェアモジュールは、プロセッサなどの装置によって実行されると、処理システムに様々な機能を実行させる命令を含む。ソフトウェアモジュールは、送信モジュールと受信モジュールとを含んでよい。各ソフトウェアモジュールは、単一の記憶デバイス内に存在しても、または複数の記憶デバイスにわたって分散されてよい。例として、トリガイベントが発生したときに、ソフトウェアモジュールは、ハードドライブからRAMにロードされてよい。ソフトウェアモジュールの実行中、プロセッサは、アクセス速度を高めるために、命令のうちのいくつかをキャッシュにロードしてよい。1つまたは複数のキャッシュラインが、次いで、プロセッサによって実行されるように汎用レジスタファイルにロードされてよい。以下でソフトウェアモジュールの機能に言及する場合、そのような機能は、そのソフトウェアモジュールからの命令を実行するときにプロセッサによって実装されることが理解されよう。
【００９９】
また、任意の接続が、適切にコンピュータ可読媒体と呼ばれる。たとえば、ソフトウェアが、同軸ケーブル、光ファイバーケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピー(登録商標)ディスク(disk)、およびBlu-ray(登録商標)ディスク(disc)を含み、ディスク(disk)は、通常、データを磁気的に再生し、ディスク(disc)は、レーザを用いてデータを光学的に再生する。したがって、いくつかの態様では、コンピュータ可読媒体は、非一時的コンピュータ可読媒体(たとえば、有形媒体)を含んでよい。加えて、他の態様の場合、コンピュータ可読媒体は、一時的コンピュータ可読媒体(たとえば、信号)を含んでよい。上記の組合せもコンピュータ可読媒体の範囲に含まれるべきである。
【０１００】
したがって、いくつかの態様は、本明細書で提示した動作を実行するためのコンピュータプログラム製品を含んでよい。たとえば、そのようなコンピュータプログラム製品は、本明細書で説明した動作を実行するように1つまたは複数のプロセッサによって実行可能である命令が記憶された(および/または符号化された)コンピュータ可読媒体を含んでよい。
【０１０１】
さらに、本明細書で説明する方法および技法を実行するためのモジュールおよび/または他の適切な手段は、適用可能な場合、ユーザ端末および/または基地局によってダウンロードおよび/または別の方法で取得されてよいことを理解されたい。たとえば、そのようなデバイスは、本明細書で説明する方法を実行するための手段の転送を容易にするためにサーバに結合されてよい。代替的に、本明細書で説明する様々な方法は、ユーザ端末および/または基地局が記憶手段(たとえば、RAM、ROM、コンパクトディスク(CD)またはフロッピー(登録商標)ディスクなどの物理的記憶媒体など)をデバイスに結合または提供すると様々な方法を取得することができるように、記憶手段を介して提供されてよい。さらに、本明細書で説明する方法および技法をデバイスに提供するための任意の他の適切な技法が利用されてよい。
【０１０２】
特許請求の範囲が上記で示した厳密な構成および構成要素に限定されないことを理解されたい。特許請求の範囲の範囲から逸脱することなく、上記で説明した方法および装置の構成、動作、および詳細において、様々な修正、変更、および変形が加えられてよい。
【符号の説明】
【０１０３】
100  ワイヤレスネットワーク
102a  マクロセル
102b  マクロセル
102c  マクロセル
102x  ピコセル
102y  フェムトセル
102z  フェムトセル
110  基地局(BS)
110a  BS
110b  BS
110c  BS、マクロBS
110r  中継局
110x  BS
110y  BS
110z  BS
120  UE、ユーザ機器、ユーザ端末
120a  UE
120r  UE
120x  UE
120y  UE
130  ネットワークコントローラ
200  分散型無線アクセスネットワーク(RAN)、分散型RAN、ローカルアーキテクチャ、アーキテクチャ
202  アクセスノードコントローラ(ANC)、ANC
204  次世代コアネットワーク(NG-CN)
206  5Gアクセスノード
208  TRP、DU
210  次世代AN(NG-AN)
300  分散型RAN
302  集中型コアネットワークユニット(C-CU)
304  集中型RANユニット(C-RU)
306  DU
412  データソース
420  プロセッサ、送信プロセッサ
430  プロセッサ、送信(TX)多入力多出力(MIMO)プロセッサ
432  変調器
432a〜432t  変調器(MOD)
434  アンテナ
434a〜434t  アンテナ
436  MIMO検出器
438  プロセッサ、受信プロセッサ
439  データシンク
440  コントローラ/プロセッサ、プロセッサ
442  メモリ
444  スケジューラ
452  アンテナ
452a〜452r  アンテナ
454  復調器
454a〜454r  復調器(DEMOD)
456  MIMO検出器
458  プロセッサ、受信プロセッサ
460  データシンク
462  データソース
464  プロセッサ、送信プロセッサ
466  プロセッサ、TX MIMOプロセッサ
480  コントローラ/プロセッサ、プロセッサ
482  メモリ
500  図
505-a  第1のオプション
505-b  第2のオプション
510  無線リソース制御(RRC)レイヤ
515  パケットデータコンバージェンスプロトコル(PDCP)レイヤ
520  無線リンク制御(RLC)レイヤ
525  媒体アクセス制御(MAC)レイヤ
530  物理(PHY)レイヤ
600  フレームフォーマット
700  アクティブなビーム
800  タイミング(またはコールフロー)図
900  動作、タイミング図
1000  動作
1100  動作
【図１】
0006910531.tif 000002
【図２】
0006910531.tif 000003
【図３】
0006910531.tif 000004
【図４】
0006910531.tif 000005
【図５】
0006910531.tif 000006
【図６】
0006910531.tif 000007
【図７】
0006910531.tif 000008
【図８】
0006910531.tif 000009
【図９】
0006910531.tif 000010
【図１０】
0006910531.tif 000011
【図１１】
0006910531.tif 000012